(57)【要約】【課題】杖先端に円筒型半透明中空カプセル接合し、カプセル内に圧電セラミックと発光ダイオードと一体になった圧電素子とそれに接続された発光素子を装着させ、このカプセルから発する閃光により、瞬時に自分の位置を運転者や自分に向かってくる移動物体の相手に認知させる杖を提供する。【解決手段】アルミ合金パイプ先端に円筒型半透明樹脂中空カプセルを接合し、そのカプセル内にピエゾ効果の電圧を利用した圧電素子とそれに接続された発光素子を装着させ、カプセルに衝撃又は振動を与えることにより閃光を発する。【選択図】図１
2007160053.tif 000002
【特許請求の範囲】
【請求項１】
圧電素子とそれに接続された発光素子を備え、杖を突たり軽く振る程度の衝撃により発生するピエゾ効果の電圧で発光素子を瞬間的に発光させる、ＯＮ−ＯＦＦスイッチの無い、半永久的に閃光することを特徴とする杖。
【請求項２】
円筒型半透明樹脂を使用することにより光を乱反射させ、樹脂内壁上部を円錐鏡面にし、光を広角に反射させ、爆発光のように見える特徴をもった請求項１の杖。
【請求項３】
円筒型半透明樹脂上部壁面（杖の軸に平行）に垂直に薄い金属板又はその他の物質で光をよく反射する反射鏡を備えた請求項２の杖。
【請求項４】
圧電素子とそれに接続された発光素子に効果的に衝撃と振動を与えることを目的として、中空カプセル底部に金属板を設置していることを特徴とする請求項３の杖。
【発明の詳細な説明】
【発明の詳細な説明】
【技術分野】
【０００１】本発明は電池なしで、僅かな衝撃や振動を与える瞬間に光る機能を備えた杖に関するものである。
【背景技術】
【０００２】    従来の杖を光らせる方法は、アルカリ電池で発光させる方法。杖の中に乾電池と蛍光管を入れて周囲を照らす方法。杖に光が照射されることによる反射光による方法等である。（例えば  特許文献１）
杖は用途により多種あり、視覚障害者が使用する白杖、高齢者等の歩行補助用杖、トレッキングや朝夕公園の散策用杖等がある。特に長寿命、高齢化傾向を迎える２１世紀は杖の需要は増えることはあっても減ることは無いとおもわれる。このような社会需要から近年、杖の技術革新も進んで、本来の目的以外の機能を備えた杖も開発されている。特に注目されるのは光を発する杖である。この光の杖が夕暮れ時や夜間道路横断中の歩行者の存在を運転者に一刻も早く認知させるとか、人ごみ中での仲間同士の位置を確認させるとか、薄暮や暗闇の山道等での仲間同士の位置を確認させることなどが目的とされる。
【特許文献１】特開２００２−２６２９１３
【発明の開示】
【発明が解決しようとする課題】
【０００３】  しかしながら、従来の光る杖はいずれも電源を必要とすることである。特に、視覚障害者が使用する白杖は本人が発光しているかどうかを確認することが極めて難しい。
また杖の触覚から情報収集するので、障害物にたいして大小の衝撃は必然的である。その場合、蛍光管付杖は衝撃に対して破損しやすいという欠点がある。さらに、山間部、商店のない場所での電池切れは大変不安である。さらに、絶縁不良による発光しない場合の対応の問題点が指摘される。また反射板付の場合、光が照射されないことには反射光を得られないので暗闇での使用者の存在をアピールすることは困難である。本発明は、従来の課題に着目してなされたものである。電池有無の懸念が無く、ＯＮ−ＯＦＦスイッチは無く、衝撃に強く、伸縮自在に出来て、電源なしで電圧を発生させることができ、半永久的に発光ダイオードを閃光させる杖を提供することを目的としている。
【課題を解決するための手段】
【０００４】  上記目的を達成するために、本発明に係る閃光する光の電源は電池の代わりに圧電素子とそれに接続された発光素子に衝撃を与えるか振動させることにより発生するピエゾ効果の電圧を利用することを特徴とする。【０００５】  本発明に係る閃光する杖本体はアルミ合金パイプと支える柄と閃光カプセルとの３体の接合で形成されている。柄は木製又は樹脂を使用している。アルミ合金パイプの下部先端に閃光カプセルが接合されている。【０００６】  この閃光カプセルは円筒形半透明樹脂を中空カプセルに成型している。中空カプセルは直径を圧電素子とそれに接続された発光素子が自由に動けるような径の大きさになっている。長さも圧電素子とそれに接続された発光素子が自由に動けるような形状に内径を加工されている。【０００７】  円筒形半透明樹脂の内壁上部面を円錐鏡面に成型されている。その結果、光を広角に反射させることができる。半透明樹脂の特質により光を乱反射させることになる。【０００８】  中空カプセル底部には薄い金属板を設置して圧電素子とそれに接続された発光素子に衝撃や振動が容易に伝わるようにしている。
【発明の効果】
【０００９】  本発明に係る杖は歩行中、杖の先端で道路または障害物を軽く叩く、触る、又は杖を振ることにより電圧を発生させ、杖の先端より閃光的な光を発することが出来るので次の利点がある。
▲１▼電池なしで半永久的に光を発することが出来る。
▲２▼夜間、夕暮れ時にこの閃光する光を発する杖を使用して道路を横断する場合、自己の存在を車両運転者、自転車及び移動体に一刻も早く注意を喚起させることが出来る。
▲３▼トレッキング時に、薄暮、濃霧時には十数メートル離れるとお互いの確認が困難になり不安が生じる。そのとき本発明の杖の閃光する光によりお互いの位置確認ができ、双方の不安を取り除くことが出来る。
▲４▼夜間の混雑時において、双方の識別は難しくなり、見失うこともある。こんな時、本発明の杖を高く上げて軽く振ることにより、間欠的に閃光する光は常時点灯する光と違い、他者との識別がし易く、より双方の位置確認が出来る。
【発明を実施するための最良の形態】
【００１０】    図１に示すように、本発明の電源不要な閃光杖はアルミ合金パイプ１と、柄２と、閃光カプセル３とを有している。【００１１】  図１の閃光カプセル３は円筒形半透明樹脂の素材を図２の中空カプセル４の形状に加工される。円筒型半透明樹脂（杖の軸に平行）に垂直な壁面に薄い金属板５又は良く光る反射鏡５を設置している。円筒形半透明樹脂中空カプセル内壁上部面を円錐鏡面８に加工する。底部閉塞用樹脂７は中空カプセル４の底面を閉じる固定部材となっている。圧電素子とそれに接続された発光素子９に大きな衝撃を与えるため衝撃寄与金属板６を底部閉塞用樹脂７の上部壁面に固定される。このような形状の中空カプセル内４に発光ダイオード部分を上向き方向にして圧電素子とそれに接続された発光素子９を装着されている。【００１２】電池の無い状態で閃光する部分は、発光ダイオードと圧電セラミックと一体化された圧電素子とそれに接続された発光素子９となっている。【００１３】上記工程により完成した本発明の電源不要な閃光杖は閃光カプセル３に衝撃又は振動を与えると、カプセル内の圧電素子とそれに接続された発光素子９が閃光的に発光する。この閃光的な光を運転者及び自転車に乗っているひとが「一秒でも早く気づく」ことにより人身事故を防ぐことができる。
【産業上の利用可能】
【００１４】電源不要な閃光杖の原理を利用して無電源警告灯の製造に利用できる。
【図面の簡単な説明】
【００１５】
【図１】本発明に係る電源不要な閃光杖の構成図である。
【図２】本発明に係る電源不要な閃光杖の一部を構成する閃光カプセルの断面図である。
【図３】本発明に係る電源不要な閃光杖の一部を構成する圧電素子とそれに接続された発光素子の平面図である
【図４】本発明に係る電源不要な閃光杖の円筒型半透明中空カプセルの投影図である。
【符号の説明】
１  アルミ合金パイプ
２  柄
３  閃光カプセル
４  円筒型半透明中空カプセル
５  反射鏡
６  衝撃寄与金属板
７  底部閉塞樹脂
８  円錐鏡面
９  圧電素子とそれに接続された発光素子
【図１】
2007160053.tif 000003
【図２】
2007160053.tif 000004
【図３】
2007160053.tif 000005
【図４】
2007160053.tif 000006